(57)【要約】【課題】多くの閲覧者が関心を示した投稿情報を優先的に表示することができる地図表示装置を提供すること。【解決手段】ナビゲーション装置１００は、地図画像を表示する描画データを作成する地図描画部１４と、ネットワーク３００を介して位置情報を含む投稿情報をこの投稿情報に対する再投稿件数とともに取得する投稿情報取得部３０と、再投稿件数に基づいて地図画像の表示範囲に対応する複数の投稿情報の中から一部の投稿情報を選択する投稿情報選択部３２と、選択された投稿情報の内容を示す描画データを作成する投稿情報描画部３４と、地図描画部１４および投稿情報描画部３４によって作成された描画データに基づいて、表示範囲に含まれる地図画像に投稿情報を重ねて表示する表示処理部６０とを備える。【選択図】図２
2014153338.tif 000002
【特許請求の範囲】
【請求項１】
地図画像を表示する描画データを作成する地図描画手段と、
所定のネットワークを介して、位置情報を含む投稿情報をこの投稿情報に対する再投稿件数とともに取得する投稿情報取得手段と、
前記再投稿件数に基づいて、前記地図画像の表示範囲に対応する複数の前記投稿情報の中から一部の前記投稿情報を選択する投稿情報選択手段と、
前記投稿情報選択手段によって選択された前記投稿情報の内容を示す描画データを作成する投稿情報描画手段と、
前記地図描画手段および前記投稿情報描画手段によって作成された描画データに基づいて、表示範囲に含まれる前記地図画像に、前記投稿情報選択手段によって選択された前記投稿情報を重ねて表示する表示処理手段と、
を備えることを特徴とする地図表示装置。
【請求項２】
請求項１において、
前記投稿情報選択手段は、前記地図画像の表示範囲に含まれる前記投稿情報の数が、所定の基準に照らして多い場合に、前記投稿情報の選択を行うことを特徴とする地図表示装置。
【請求項３】
請求項２において、
前記所定の基準は、前記投稿情報の数であり、
前記投稿情報選択手段は、前記地図画像の表示範囲に含まれる前記投稿情報の数が、所定の基準数を超えた場合に、前記投稿情報の選択を行うことを特徴とする地図表示装置。
【請求項４】
請求項２において、
前記所定の基準は、前記投稿情報を表示した際の面積であり、
前記投稿情報選択手段は、前記地図画像の表示範囲に含まれる前記投稿情報の面積が、所定の基準面積を超えないように、前記投稿情報の選択を行うことを特徴とする地図表示装置。
【請求項５】
請求項１〜４のいずれかにおいて、
前記投稿情報描画手段は、再投稿件数に応じて異なる表示態様で、前記投稿情報の内容を示す描画データを作成することを特徴とする地図表示装置。
【請求項６】
請求項５において、
前記投稿情報描画手段は、再投稿件数に応じて、前記投稿情報を表示する際の枠線の太さを変えることを特徴とする地図表示装置。
【請求項７】
請求項５または６において、
前記投稿情報描画手段は、再投稿件数に応じて色を変えることを特徴とする地図表示装置。
【請求項８】
請求項５〜７のいずれかにおいて、
前記投稿情報描画手段は、再投稿件数が多い順に、その順番を示す番号を前記投稿情報に付加することを特徴とする地図表示装置。
【請求項９】
請求項５〜８のいずれかにおいて、
前記投稿情報描画手段は、再投稿件数に応じて前記地図画像上に重ねて表示する前記投稿情報の透過率を変えることを特徴とする地図表示装置。
【請求項１０】
請求項１〜９のいずれかにおいて、
前記再投稿件数は、前記投稿情報に対応して送られてくる評価件数であることを特徴とする地図表示装置。
【請求項１１】
請求項１〜１０のいずれかにおいて、
利用者の指示に応じて、投稿日時の範囲を設定する投稿期間設定手段をさらに備え、
前記投稿情報選択手段は、前記投稿期間設定手段によって設定された投稿日時の範囲に投稿された一部の前記投稿情報を複数の前記投稿情報の中から選択することを特徴とする地図表示装置。
【請求項１２】
請求項１〜１１のいずれかにおいて、
利用者の指示に応じて、選択条件を設定する選択条件設定手段をさらに備え、
前記投稿情報選択手段は、前記選択条件設定手段によって設定された選択条件を考慮して前記投稿情報の選択を行うことを特徴とする地図表示装置。
【請求項１３】
請求項１〜１２のいずれかにおいて、
前記ネットワークを介して接続される検索サーバに対して、検索キーワードを指定した検索依頼および検索結果の取得を行う検索処理手段をさらに備え、
前記投稿情報選択手段は、前記検索処理手段による検索履歴を考慮して前記投稿情報の選択を行うことを特徴とする地図表示装置。
【請求項１４】
請求項１〜１３のいずれかにおいて、
利用者の行動履歴を取得する行動履歴取得手段をさらに備え、
前記投稿情報選択手段は、前記行動履歴取得手段によって取得された行動履歴を考慮して前記投稿情報の選択を行うことを特徴とする地図表示装置。
【請求項１５】
請求項１〜１４のいずれかにおいて、
前記投稿情報は、ソーシャル・ネットワーキング・サービスにおける投稿情報であることを特徴とする地図表示装置。
【発明の詳細な説明】
【技術分野】
【０００１】
本発明は、地図画像に施設等に関する投稿情報を重ねて表示する地図表示装置に関する。
【背景技術】
【０００２】
従来から、サーバから投稿情報を取得して地図画像に重ねて表示する車載用表示装置が知られている（例えば、特許文献１参照。）。この車載用表示装置では、リアルタイムで取得した膨大な投稿情報の内容を把握することができないことを考慮して、位置と投稿数等に基づいて表示手法を変更して表示を行っている。これにより、同じ位置に対応する多数の投稿情報をまとめて表示することができるため、例えば、渋滞情報等を地図画像に重ねて表示するような場合には便利である。
【先行技術文献】
【特許文献】
【０００３】
【特許文献１】特開２０１１−２４７８３２号公報
【発明の概要】
【発明が解決しようとする課題】
【０００４】
ところで、上述した特許文献１の車載用表示装置では、表示手法が変更されて表示が行われるため、投稿情報そのものの内容を閲覧しようとすると追加の操作が必要になり、操作が煩雑になる。特に、この車載用表示装置では、投稿情報をまとめることはできるが、その中に多数の閲覧者が関心を示した投稿情報が含まれていてもそれを区別して優先的に表示することができないという問題があった。
【０００５】
本発明は、このような点に鑑みて創作されたものであり、その目的は、多くの閲覧者が関心を示した投稿情報を優先的に表示することができる地図表示装置を提供することにある。
【課題を解決するための手段】
【０００６】
上述した課題を解決するために、本発明の地図表示装置は、地図画像を表示する描画データを作成する地図描画手段と、所定のネットワークを介して、位置情報を含む投稿情報をこの投稿情報に対する再投稿件数とともに取得する投稿情報取得手段と、再投稿件数に基づいて、地図画像の表示範囲に対応する複数の投稿情報の中から一部の投稿情報を選択する投稿情報選択手段と、投稿情報選択手段によって選択された投稿情報の内容を示す描画データを作成する投稿情報描画手段と、地図描画手段および投稿情報描画手段によって作成された描画データに基づいて、表示範囲に含まれる地図画像に、投稿情報選択手段によって選択された投稿情報を重ねて表示する表示処理手段とを備えている。投稿情報の選択をこの投稿情報に対する再投稿件数に基づいて行うことにより、多くの閲覧者が関心を示した投稿情報を優先的に表示することが可能となる。
【０００７】
また、上述した投稿情報選択手段は、地図画像の表示範囲に含まれる投稿情報の数が、所定の基準に照らして多い場合に、投稿情報の選択を行うことが望ましい。具体的には、上述した所定の基準は、投稿情報の数であり、投稿情報選択手段は、地図画像の表示範囲に含まれる投稿情報の数が、所定の基準数を超えた場合に、投稿情報の選択を行うことが望ましい。あるいは、上述した所定の基準は、投稿情報を表示した際の面積であり、投稿情報選択手段は、地図画像の表示範囲に含まれる投稿情報の面積が、所定の基準面積を超えないように、投稿情報の選択を行うことが望ましい。これにより、投稿情報数が多いために地図画像が極端に見えづらくなることを防止することができる。
【０００８】
また、上述した投稿情報描画手段は、再投稿件数に応じて異なる表示態様で、投稿情報の内容を示す描画データを作成することが望ましい。具体的には、上述した投稿情報描画手段は、再投稿件数に応じて、投稿情報を表示する際の枠線の太さを変えることが望ましい。あるいは、上述した投稿情報描画手段は、再投稿件数に応じて色を変えることが望ましい。また、上述した投稿情報描画手段は、再投稿件数が多い順に、その順番を示す番号を投稿情報に付加することが望ましい。また、上述した投稿情報描画手段は、再投稿件数に応じて地図画像上に重ねて表示する投稿情報の透過率を変えることが望ましい。これにより、多くの閲覧者の関心が特に高い投稿情報を知ることができ、その内容を他に優先して閲覧することが可能となる。
【０００９】
また、上述した再投稿件数は、投稿情報に対応して送られてくる評価件数であることが望ましい。これにより、他の閲覧者が関心を示し、かつ、評価が高い投稿情報を優先的に表示することが可能となる。
【００１０】
また、利用者の指示に応じて、投稿日時の範囲を設定する投稿期間設定手段をさらに備え、投稿情報選択手段は、投稿期間設定手段によって設定された投稿日時の範囲に投稿された一部の投稿情報を複数の投稿情報の中から選択することが望ましい。これにより、利用者自身の操作によって閲覧対象の投稿情報の発信日時を限定することができる。
【００１１】
また、利用者の指示に応じて、選択条件を設定する選択条件設定手段をさらに備え、投稿情報選択手段は、選択条件設定手段によって設定された選択条件を考慮して投稿情報の選択を行うことが望ましい。これにより、利用者自身の操作によって閲覧対象の投稿情報の内容を限定することができる。
【００１２】
また、ネットワークを介して接続される検索サーバに対して、検索キーワードを指定した検索依頼および検索結果の取得を行う検索処理手段をさらに備え、投稿情報選択手段は、検索処理手段による検索履歴を考慮して投稿情報の選択を行うことが望ましい。あるいは、利用者の行動履歴を取得する行動履歴取得手段をさらに備え、投稿情報選択手段は、行動履歴取得手段によって取得された行動履歴を考慮して投稿情報の選択を行うことが望ましい。これにより、利用者が興味を示した内容に限定して投稿情報の絞り込みを行うことができ、多くの閲覧者だけでなく利用者自身が関心の高い投稿情報を優先的に表示することが可能となる。
【００１３】
また、上述した投稿情報は、ソーシャル・ネットワーキング・サービスにおける投稿情報であることが望ましい。これにより、第三者の投稿情報を容易に取得することができるとともに、再投稿件数についても、加工されていない第三者の生の意見を反映させることが可能となる。
【図面の簡単な説明】
【００１４】
【図１】一実施形態のナビゲーション装置が含まれる投稿情報表示システムの全体構成を示す図である。
【図２】ナビゲーション装置の詳細構成を示す図である。
【図３】詳細地図画像に投稿情報画像を重ねて表示する表示例を示す図である。
【図４】広域地図画像に投稿情報画像を重ねて表示する表示例を示す図である。
【図５】表示の変形例を示す図である。
【図６】表示の変形例を示す図である。
【図７】表示の変形例を示す図である。
【図８】表示の変形例を示す図である。
【図９】表示の変形例を示す図である。
【図１０】表示の変形例を示す図である。
【図１１】表示の変形例を示す図である。
【発明を実施するための形態】
【００１５】
以下、本発明の地図表示装置を適用した一実施形態のナビゲーション装置について、図面を参照しながら説明する。図１は、一実施形態のナビゲーション装置が含まれる投稿情報表示システムの全体構成を示す図である。図１に示す投稿情報表示システムは、各車両に搭載された車載機としてのナビゲーション装置１００と、ソーシャル・ネットワーキング・サービス（ＳＮＳ）の各種サービスを提供するＳＮＳサーバ２００とを含んで構成されている。ナビゲーション装置１００とＳＮＳサーバ２００との間は、所定のネットワーク３００を介して接続されている。また、本実施形態におけるネットワーク３００は、移動体電話網やインターネットなどの各種の通信網を含んで構成されている。また、上述したソーシャル・ネットワーキング・サービスとしては、例えば、Twitter（ツイッター、登録商標）やFacebook（フェイスブック、登録商標）などの他に、ブログ、ミニブログ、マイクロブログなどを含めるようにしてもよい。
【００１６】
次に、ナビゲーション装置１００の詳細構成について説明する。図２は、ナビゲーション装置１００の詳細構成を示す図である。図２に示すように、ナビゲーション装置１００は、ナビゲーションコントローラ１、地図データ記憶装置３、操作部４、車両位置検出部５、表示装置６、通信装置８を含んで構成されている。
【００１７】
ナビゲーションコントローラ１は、ＣＰＵ、ＲＯＭ、ＲＡＭ等を用いて所定の動作プログラムを実行することにより、自車位置周辺の地図画像表示動作や表示範囲に対応する投稿情報の取得・表示などの各種機能を実現する。ナビゲーションコントローラ１の詳細構成については後述する。
【００１８】
地図データ記憶装置３は、地図表示や施設検索などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。また、地図データ記憶装置３を通信装置８に置き換えて、外部の地図配信サーバ（図示せず）から地図データを取得するようにしてもよい。
【００１９】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。車両位置検出部５は、例えば、ＧＰＳ受信機、方位センサ、距離センサなどを備えており、所定のタイミングで車両位置（経度、緯度）の検出を行い、検出結果を出力する。
【００２０】
表示装置６は、例えばＬＣＤ（液晶表示装置）によって構成されており、ナビゲーションコントローラ１から出力される映像信号に基づいて自車位置周辺の地図画像やＳＮＳサーバ２００から取得した投稿情報などを表示する。通信装置８は、投稿情報を取得するためのものであり、ＳＮＳサーバ２００との間でデータ通信を行う。最も一般的には携帯電話や携帯端末装置が通信装置８として用いられるが、近距離通信モジュールや無線ＬＡＮモジュールなどを通信装置８として用いるようにしてもよい。
【００２１】
次に、ナビゲーションコントローラ１の詳細構成について説明する。図２に示すナビゲーションコントローラ１は、地図バッファ１０、地図読出制御部１２、地図描画部１４、車両位置計算部２０、投稿情報取得部３０、投稿情報選択部３２、投稿情報描画部３４、投稿期間設定部３６、選択条件設定部３８、情報検索処理部４０、ＳＮＳ処理部４２、行動履歴取得部４４、入力処理部５０、表示処理部６０を含んで構成されている。
【００２２】
上述した地図描画部１４が地図描画手段に、投稿情報取得部３０が投稿情報取得手段に、投稿情報選択部３２が投稿情報選択手段に、投稿情報描画部３４が投稿情報描画手段に、表示処理部６０が表示処理手段にそれぞれ対応する。また、投稿期間設定部３６が投稿期間設定手段に、選択条件設定部３８が選択条件設定手段に、情報検索処理部４０が検索処理手段に、ＳＮＳ処理部４２、行動履歴取得部４４が行動履歴取得手段にそれぞれ対応する。
【００２３】
地図バッファ１０は、地図データ記憶装置３から読み出された地図データを一時的に格納する。この地図データには、地図画像描画に必要なデータや表示範囲に含まれる施設を抽出するために必要なデータが少なくとも含まれる。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。
【００２４】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２５】
投稿情報取得部３０は、ネットワーク３００を介して、位置情報を含む投稿情報を、この投稿情報に対する再投稿件数とともに取得する。Twitterの場合を例にとると、リツイート数が再投稿件数に対応しており、例えば、投稿情報（ツイート）に対するリツイートが行われる毎にＳＮＳサーバ２００によってリツイート数がカウントアップされる。投稿情報取得部３０は、ツイートを取得する際に、このツイートに付加されている位置情報とこのツイートに対応するリツイート数も同時に取得する。また、Facebookの場合には、「いいね」の数（「いいね」ボタンを押した利用者数）を再投稿件数として扱うようにしてもよい。「いいね」ボタンは、投稿情報を見た人がこの投稿情報の内容に対して高評価を与えるものであって、評価件数ともいえる「いいね」の数は、投稿情報に対して高評価であることを再投稿したと見ることができるからである。
【００２６】
投稿情報選択部３２は、位置情報および再投稿件数に基づいて、地図画像の表示範囲に対応する複数の投稿情報の中から一部の投稿情報を選択する。具体的には、位置情報に基づいて地図画像の表示範囲に対応する投稿情報の絞り込みが行われる。この絞り込み後の投稿情報の数が、所定の基準に照らして多い場合には、投稿情報選択部３２による投稿情報の選択が行われる。
【００２７】
所定の基準としては、例えば、以下の（Ａ）、（Ｂ）などが考えられる。
（Ａ）所定の基準として、投稿情報の数が用いられる。投稿情報選択部３２は、地図画像の表示範囲に含まれる投稿情報の数が、所定の基準数を超えた場合に、投稿情報の選択を行う。
（Ｂ）所定の基準として、投稿情報を表示した際の面積が用いられる。投稿情報選択部３２は、地図画像の表示範囲に含まれる投稿情報の面積が、所定の基準面積（例えば、地図画像の表示面積の５０％）を超えないように、投稿情報の選択を行う。
【００２８】
投稿情報描画部３４は、投稿情報選択部３２によって選択された投稿情報の内容を示す投稿情報描画データを作成する。入力処理部５０は、操作部４から入力される各種の操作指示に対応する動作を行うための命令をナビゲーションコントローラ１内の各部に向けて出力する。表示処理部６０は、地図描画部１４によって作成される地図画像描画データや、投稿情報描画部３４によって作成される投稿情報描画データなどが入力されており、地図画像に投稿情報画像を重ねた画像を表示装置６の画面に表示する。
【００２９】
図３は、詳細地図画像に投稿情報画像を重ねて表示する表示例を示す図である。この表示例では、表示範囲に含まれる多数の投稿情報の中から、上述した所定の基準に基づいて一部の投稿情報が選択されてその内容が表示されている。また、表示方法としては、各投稿情報の内容を吹き出しの形式で表示させるとともに、投稿情報に付加された位置情報で特定される位置に吹き出しの引出位置を対応させている。投稿情報に写真や動画が含まれる場合には、これらも吹き出しに含ませている。
【００３０】
図４は、広域地図画像に投稿情報画像を重ねて表示する表示例を示す図である。図４に示す広域地図画像表示においても、図３に示した詳細地図画像表示の場合と同様に、地図画像の表示範囲に含まれる多数の投稿情報の中から、上述した所定の基準に基づいて一部の投稿情報が選択されたその内容が表示される。このため、表示範囲が広域になった場合であっても、表示対象となる投稿情報の数の増加を抑制することができる。
【００３１】
ところで、地図画像に重ねて配置される投稿情報画像は、再投稿件数に関係なく同じ表示態様で表示してもよいが、再投稿件数に応じて異なる表示態様で表示することが望ましい。表示態様を再投稿件数に応じて変える具体例を以下に示す。
【００３２】
（１）投稿情報描画部３４は、再投稿件数に応じて、投稿情報を表示する際の吹き出しの枠線の太さを変える。例えば、図５に示す表示例では、再投稿件数が多いほど枠線の太さが太く設定されている。
【００３３】
（２）投稿情報描画部３４は、再投稿件数に応じて、投稿情報の色（色相、明度、彩度など）を変える。また、色を変える部分については、吹き出しの枠線の色を変える場合の他に、吹き出しに含まれる文字の色を変えたり、吹き出しに含まれる背景部分の色を変える場合などが考えられる。例えば、図６に示す表示例では、再投稿件数が多い投稿情報の背景の色が変更されており、色を変更した部分にハッチングが付されている。
【００３４】
（３）投稿情報描画部３４は、再投稿件数が多い順に、その順番を示す番号を投稿情報に付加する。例えば、図７に示す表示例では、再投稿件数が多い順に「１」〜「５」の番号が付されている。
【００３５】
（４）投稿情報描画部３４は、再投稿件数に応じて、地図画像上に重ねて表示する投稿情報の透過率を変える。例えば、図８に示す例では、再投稿件数が多いほど不透明（透過率が低い）になり、再投稿件数が少なくなるにつれて半透明（透過性が高い）になっている。なお、図８では、ハッチングの線密度が投稿情報の透明の程度を示しており、ハッチングの線間隔が狭いほど不透明になっている。
【００３６】
投稿期間設定部３６は、利用者の指示に応じて、投稿日時の範囲を設定する。投稿期間設定部３６によって投稿日時の範囲が設定された場合には、投稿情報選択部３２は、投稿期間設定部３６によって設定された投稿日時の範囲に投稿された投稿情報のみを選択対象に設定して上述した基準を適用して投稿情報の選択を行う。例えば、図９に示すように、表示画面の一部に、「当日」、「３日間」、「１ヶ月」、「１年」の選択肢が用意されており、利用者は、操作部４を用いてその中から一つを選択して期間を設定することができる。
【００３７】
選択条件設定部３８は、利用者の指示に応じて、選択条件を設定する。選択条件設定部３８によって選択条件が設定された場合には、投稿情報選択部３２は、選択条件設定部３８によって設定された選択条件を考慮して（選択条件を満たす投稿情報のみを選択対象に設定して）上述した基準を適用して投稿情報の選択を行う。例えば、図１０に示すように、表示画面の一部に、ＳＮＳの種類としての「Twitter」、「Facebook」や、投稿情報の内容を絞り込むための「店情報」などがチェック欄付きで表示されており、利用者は、操作部４を用いて、有効にしたい項目のチェック欄をチェックすることができる。「Twitter」や「Facebook」のチェック欄がチェックされた場合には、これらの投稿情報のみが選択対象となる。また、「店情報」のチェック欄がチェックされた場合には、店情報が含まれる投稿情報のみが選択対象となる。さらに、「Twitter」や「Facebook」については、図１１に示すように「写真」、「動画」、「文章のみ」などのチェック欄を設け、投稿情報の表現形式を選択条件に含めるようにしてもよい。
【００３８】
情報検索処理部４０は、ネットワーク３００を介して接続される検索サーバ（図示せず）に対して、検索キーワードを指定した検索依頼および検索結果の取得を行う。検索キーワード入力は、利用者が操作部４を操作して行うことができる。また、この入力作業画面や検索結果表示画面は、情報検索処理部４０によって作成され、表示処理部６０に送られて表示装置６に表示される。さらに、情報検索処理部４０は、このような検索動作時に入力された検索キーワードを検索履歴として保持する。
【００３９】
ＳＮＳ処理部４２は、ネットワーク３００を介して接続されるＳＮＳサーバ２００に対して、各種サービスを利用するために必要な処理を行う。これにより、投稿情報の閲覧、作成、再投稿などのＳＮＳの各種サービスを利用することができる。なお、このＳＮＳ処理部４２によって行われる処理は、例えば、パーソナルコンピュータを操作して投稿情報の閲覧を行う処理とほぼ同じであり、再投稿件数が多い投稿情報を地図画像上に重ねて表示する処理については、ＳＮＳ処理部４２ではなく、上述した投稿情報取得部３０や投稿情報選択部３２などによって行われる。
【００４０】
行動履歴取得部４４は、利用者の行動履歴を取得する。行動履歴取得部４４は、ＳＮＳ処理部４２によって作成される利用者の投稿情報の内容を監視しており、その中に行動履歴に関する記載が含まれている場合にはこれを抽出して利用者の行動履歴として取得する。例えば、「ＡＡＡのお店にＢＢＢを食べに行った」という投稿情報が作成されている場合には、行動履歴として、お店「ＡＡＡ」や好きなメニュー「ＢＢＢ」などの情報が行動履歴として取得される。また、行動履歴取得部４４は、車両の行動履歴（車両位置）を監視しており、その中に特定の施設の駐車場（例えば、所定時間以上停車した位置が特定の施設の駐車場であることは施設情報として保持してあらかじめわかっているものとする）に立ち寄ったことがわかった場合にはこれを利用者の行動履歴として取得する。
【００４１】
上述した投稿情報選択部３２は、再投稿件数だけでなく、情報検索処理部４０において保持された検索履歴や、行動履歴取得部４４によって取得した行動履歴を考慮して投稿情報の選択を行うようにしてもよい。例えば、検索履歴や行動履歴と関連がある（完全一致あるいは部分一致）投稿情報については、再投稿件数を実際よりも増加する（所定件数増やす場合や、所定割合（数十％）増やす）場合が考えられる。
【００４２】
このように、本実施形態のナビゲーション装置では、地図画像に重ねて投稿情報を表示する際に、投稿情報の選択をこの投稿情報に対する再投稿件数に基づいて行っており、多くの閲覧者が関心を示した投稿情報を優先的に表示することが可能となる。
【００４３】
また、この投稿情報の選択は、地図画像の表示範囲に含まれる投稿情報の数が、所定の基準に照らして多い場合に行っている。具体的には、投稿情報の数や、投稿情報を表示した際の面積を、所定の基準とすることが考えられる。これにより、投稿情報数が多いために地図画像が極端に見えづらくなることを防止することができる。
【００４４】
また、再投稿件数に応じて異なる表示態様で投稿情報が表示される。具体的には、再投稿件数に応じて、投稿情報を表示する際の枠線の太さを変える、色を変える、再投稿件数が多い順に番号を付加する、透過率を変える、などが考えられる。これにより、多くの閲覧者の関心が特に高い投稿情報を知ることができ、その内容を他に優先して閲覧することが可能となる。
【００４５】
また、投稿情報に対応して送られてくる評価件数を再投稿件数として扱うようにしてもよい。これにより、他の閲覧者が関心を示し、かつ、評価が高い投稿情報を優先的に表示することが可能となる。
【００４６】
また、利用者の指示に応じて設定された投稿日時の範囲に投稿された投稿情報を選択対象とすることにより、利用者自身の操作によって閲覧対象の投稿情報の発信日時を限定することができる。また、利用者の指示に応じて設定された選択条件を考慮して投稿情報の選択を行うことにより、利用者自身の操作によって閲覧対象の投稿情報の内容を限定することができる。
【００４７】
また、検索履歴や行動履歴を考慮して投稿情報の選択を行うことにより、利用者が興味を示した内容に限定して投稿情報の絞り込みを行うことができ、多くの閲覧者だけでなく利用者自身が関心の高い投稿情報を優先的に表示することが可能となる。
【００４８】
なお、本発明は上記実施形態に限定されるものではなく、本発明の要旨の範囲内において種々の変形実施が可能である。例えば、上述した実施形態では、車両に搭載されたナビゲーション装置１００に本発明を適用する場合について説明したが、家屋内に設置されたパーソナルコンピュータ等において地図画像を表示する場合にも本発明を適用することができる。
【産業上の利用可能性】
【００４９】
上述したように、本発明によれば、投稿情報の選択をこの投稿情報に対する再投稿件数に基づいて行うことにより、多くの閲覧者が関心を示した投稿情報を優先的に表示することが可能となる。
【符号の説明】
【００５０】
１  ナビゲーションコントローラ
３  地図データ記憶装置
４  操作部
５  車両位置検出部
６  表示装置
８  通信装置
１０  地図バッファ
１２  地図読出制御部
１４  地図描画部
２０  車両位置計算部
３０  投稿情報取得部
３２  投稿情報選択部
３４  投稿情報描画部
３６  投稿期間設定部
３８  選択条件設定部
４０  情報検索処理部
４２  ＳＮＳ処理部
４４  行動履歴取得部
５０  入力処理部
６０  表示処理部
１００  ナビゲーション装置
２００  ＳＮＳサーバ
３００  ネットワーク
【図１】
2014153338.tif 000003
【図２】
2014153338.tif 000004
【図３】
2014153338.tif 000005
【図４】
2014153338.tif 000006
【図５】
2014153338.tif 000007
【図６】
2014153338.tif 000008
【図７】
2014153338.tif 000009
【図８】
2014153338.tif 000010
【図９】
2014153338.tif 000011
【図１０】
2014153338.tif 000012
【図１１】
2014153338.tif 000013